(57)【要約】【課題】電気炊飯器等電気調理器におけるブザー報知音の音圧を、ソフト的な方法で所望のレベルに調節できるようにする。【解決手段】スイッチ操作時の作動確認音や異常状態報知用のアラーム音その他の各種情報音を報知するブザーと、該ブザーを駆動するブザー駆動回路と、該ブザー駆動回路のブザー駆動状態をコントロールするブザーコントロール部とを備えてなる電気調理器において、上記ブザーとして周波数−音圧特性のある圧電ブザーを選択するとともに、該圧電ブザーの周波数−音圧特性の範囲内で上記圧電ブザー駆動用の複数種のキャリア周波数を設定する周波数設定部を設け、上記ブザーコントロール部は、スイッチの操作状態や調理加熱部の温度等、その入力条件の相違に応じて、上記周波数設定部に設定されている複数種のキャリア周波数の内の所定のキャリア周波数を選択して、上記ブザー駆動回路を作動させることにより、当該選択されたキャリア周波数によって決定される所定の音圧で上記圧電ブザーを駆動するようにした。【選択図】　　　　図４
2004089287.tif 000002
【特許請求の範囲】
【請求項１】
スイッチ操作時の作動確認音や異常状態報知用のアラーム音その他の各種情報音を報知するブザーと、該ブザーを駆動するブザー駆動回路と、該ブザー駆動回路のブザー駆動状態をコントロールするブザーコントロール部とを備えてなる電気調理器において、上記ブザーとして周波数−音圧特性のある圧電ブザーを選択するとともに、該圧電ブザーの周波数−音圧特性の範囲内で上記圧電ブザー駆動用の複数種のキャリア周波数を設定する周波数設定部を設け、上記ブザーコントロール部は、スイッチの操作状態や調理加熱部の温度等、その入力条件の相違に応じて、上記周波数設定部に設定されている複数種のキャリア周波数の内の所定のキャリア周波数を選択して、上記ブザー駆動回路を作動させることにより、当該選択されたキャリア周波数によって決定される所定の音圧で上記圧電ブザーを駆動するようにしたことを特徴とする電気調理器。
【請求項２】
周波数設定部に設定されているキャリア周波数とスイッチ操作等各種入力条件との関係は、予め固定的に設定されていて、ユーザーによる任意の変更は行えないようになっていることを特徴とする請求項１記載の電気調理器。
【請求項３】
周波数をパラメータとして圧電ブザー駆動時の音圧レベルを可変設定する音圧レベル可変設定手段を有し、該音圧レベル可変設定手段により、ユーザーが設定した所望の音圧レベルでの圧電ブザーの駆動が可能となっていることを特徴とする請求項１記載の電気調理器。
【請求項４】
音圧レベル可変設定手段は、当該電気調理器の操作スイッチとは別の専用の音圧レベル可変設定操作スイッチとして構成されていることを特徴とする請求項３記載の電気調理器。
【請求項５】
音圧レベル可変設定手段は、予め特定された当該電気調理器の複数の操作スイッチを使用し、それら複数の操作スイッチの同時操作により音圧レベルを可変できるように構成されていることを特徴とする請求項３記載の電気調理器。
【発明の詳細な説明】
【０００１】
【発明の属する技術分野】
本願発明は、ブザー報知回路を備えた電気炊飯器等電気調理器の構成に関するものである。
【０００２】
【従来の技術】
例えば電気炊飯器に代表されるマイコン式の電気調理器では、一般にスイッチ操作時のスイッチ作動状態や炊飯完了状態、また何らかの異常状態等の各種の状態、状況を、ユーザーに対して音響報知するためのブザーを備えたブザー報知回路が設けられている。
【０００３】
ところで、これまで、この種のブザー報知回路は、一般に予め設計時に固定的に設定された一定音量の断続音報知を行うだけのものとして使用されることが多かったが、最近では、使用される場面や報知によって示そうとする電気調理器の状態、状況等の報知内容に応じて、その音量を判別しやすい所望のレベルに可変調節できるようにしたものが提供されるようになってきている。
【０００４】
そのようにした従来のブザー報知回路の２つの構成例を、例えば図８、図９に示す。
【０００５】
先ず図８は、第１の従来例に係るブザー報知回路の構成を示している。
【０００６】
図中、符号１７ａは圧電ブザー、３２ａはマイクロコンピュータよりなるブザー動作（発音動作）制御用のブザーコントロール部、ＴＲは圧電ブザー１７ａ駆動用のトランジスタ、Ｒａは同圧電ブザー駆動用トランジスタＴＲのベースと上記ブザーコントロール部３２ａとの間に直列に挿入接続された電流制限抵抗、Ｒｂは上記圧電ブザー１７ａとブザー駆動電源ＶＤＤとの間に直列に接続された音量可変抵抗、Ｓは同音量可変抵抗Ｒｂと並列に接続された音量可変スイッチである。
【０００７】
この図８のブザー報知回路の構成の場合、マイクロコンピュータ側ブザーコントロール部３２ａからの圧電ブザー駆動信号のキャリア周波数は一定であり、圧電ブザー１７ａと圧電ブザー駆動トランジスタＴＲに直列に接続されている音量可変抵抗Ｒｂを、上記音量可変スイッチＳのＯＮ，ＯＦＦにより挿入するかしないかで、実質的に圧電ブザー１７ａに印加される駆動電圧を変えて音量調節を行うようになっている。
【０００８】
なお、ここで、上記圧電ブザー駆動信号のキャリア周波数は、例えば次のように設定する。すなわち、圧電ブザー１７ａは物理的固有振動周波数ｆｏを有しており、この周波数ｆｏで駆動する場合が最も音量が大きくなる。したがって、これを利用して、例えばキャリア周波数ｆｃを固有振動数ｆｏと等しくなるように設定しておく。
【０００９】
そして、上記音量可変スイッチＳをＯＮした時には、上記音量可変抵抗Ｒｂはショートされて上記圧電ブザー１７ａの駆動電圧（電流）が大きくなる一方、同音量可変スイッチＳをＯＦＦにすると、上記音量可変抵抗Ｒｂが直列に作用して圧電ブザー１７ａの駆動電圧（電流）が小さくなる。したがって、同音量可変スイッチＳのＯＮ，ＯＦＦによって圧電ブザー１７ａの発音レベルを大、小２段階に調節することができる。
【００１０】
したがって、このような構成では、さらに上記音量可変抵抗と音量可変スイッチＳの数を多くして音量の可変調整レベルを多段階に増やすことも可能である。
【００１１】
次に、図９に示す第２の従来例に係るブザー報知回路の構成について説明する。
【００１２】
このブザー報知回路の構成では、上記圧電ブザー１７ａの駆動電圧を変える図８の音量可変スイッチＳに代えてマイクロコンピュータよりなるブザーコントロール部３２ａによって駆動される音量可変トランジスタＴＲ２を設け、該音量可変トランジスタＴＲ２の駆動状態によって上記圧電ブザー１７ａを駆動する駆動電圧を可変するように構成している。なお、Ｒａは上記圧電ブザー駆動用トランジスタＴＲ１のベースと上記ブザーコントロール部３２ａとの間に直列に挿入接続された電流制限抵抗、Ｒｃは上記ブザーコントロール部３２ａと音量可変トランジスタＴＲ２との間に直列に挿入接続された電流制限抵抗である。
【００１３】
この構成においても、マイクロコンピュータよりなるブザーコントロール部３２ａからの圧電ブザー駆動信号のキャリア周波数は一定としており、ブザーコントロール部３２ａにより上記音量可変トランジスタＴＲ２の駆動デューティーを変更することによって圧電ブザー１７ａに流れる電流を調節することによって音量調節を行うようになっている。
【００１４】
【発明が解決しようとする課題】
しかし、以上の第１，第２の従来例のブザー報知回路は、その何れにあっても圧電ブザー１７ａに印加される駆動電圧（電流）を、音量可変抵抗Ｒｂ、音量可変スイッチ、音量可変トランジスタＴＲ２等の多数の電子部品を使用して、ハード的に可変するように構成しているので、回路構成が複雑で、部品点数も多い。したがって、回路基板も大きくなり、製品コストも高いものとなっている。
【００１５】
本願発明は、このような問題を解決するためになされたもので、ブザーとして、所定の周波数−音圧特性を有する圧電ブザーを採用し、同圧電ブザーの周波数−音圧特性の範囲内において、予めソフト的に複数種のキャリア周波数を設定しておき、それを報知すべき情報の内容に応じて、固定的に又は任意に選択可能に割り付け、当該周波数に対応した所望の音圧で駆動することができるようにした、シンプルかつ低コストなブザー報知回路を備えた電気炊飯器等の電気調理器を提供することを目的とするものである。
【００１６】
【課題を解決するための手段】
本願発明は、上記の目的を達成するために、それぞれ次のような有効な課題解決手段を備えて構成されている。
【００１７】
（１）　第１の課題解決手段
本願発明の第１の課題解決手段は、スイッチ操作時の作動確認音や異常状態報知用のアラーム音その他の各種情報音を報知するブザーと、該ブザーを駆動するブザー駆動回路と、該ブザー駆動回路のブザー駆動状態をコントロールするブザーコントロール部とを備えてなる電気調理器において、上記ブザーとして周波数−音圧特性のある圧電ブザーを選択するとともに、該圧電ブザーの周波数−音圧特性の範囲内で上記圧電ブザー駆動用の複数種のキャリア周波数を設定する周波数設定部を設け、上記ブザーコントロール部は、スイッチの操作状態や調理加熱部の温度等、その入力条件の相違に応じて、上記周波数設定部に設定されている複数種のキャリア周波数の内の所定のキャリア周波数を選択して、上記ブザー駆動回路を作動させることにより、当該選択されたキャリア周波数によって決定される所定の音圧で上記圧電ブザーを駆動するようにしたことを特徴としている。
【００１８】
このような構成では、その周波数設定部に、採用した圧電ブザーの周波数−音圧特性の範囲内で複数種のキャリア周波数をソフト的に設定しておきさえすれば、ブザーコントロール部は、その時のスイッチ操作状態や調理加熱部の温度等、入力される条件の相違に応じて、上記周波数設定部に設定されている複数種のキャリア周波数の内の所定のキャリア周波数を選択して、上記ブザー駆動回路を作動させることになり、同周波数（音色）と同周波数によって決定される所望の音圧で当該圧電ブザーが駆動される。
【００１９】
したがって、従来のようにブザー駆動回路側のハード構成を変更する必要はなく、回路構成は簡単で、部品点数を増加させることもなく、もちろん回路基板を大きくする必要もない。
【００２０】
そのため、必然的に製品コストも安い。
【００２１】
（２）　第２の課題解決手段
本願発明の第２の課題解決手段は、上記第１の課題解決手段の構成を前提とし、周波数設定部に設定されているキャリア周波数とスイッチ操作等各種入力条件との関係は、予め固定的に設定されていて、ユーザーによる任意の変更は行えないようになっていることを特徴としている。
【００２２】
このような構成によれば、周波数設定部に一般的に最適と思われるスイッチ操作その他の報知すべき情報に応じたキャリア周波数を予め設定しておくことにより、以後は、当該入力条件毎に設定された周波数（音色）と音圧で対応する圧電ブザーが駆動される。
【００２３】
（３）　第３の課題解決手段
本願発明の第３の課題解決手段は、上記第１の課題解決手段の構成を前提とし、周波数をパラメータとして圧電ブザー駆動時の音圧レベルを可変設定する音圧レベル可変設定手段を有し、該音圧レベル可変設定手段により、ユーザーが設定した所望の音圧レベルでの圧電ブザーの駆動が可能となっていることを特徴としている。
【００２４】
このような構成によれば、入力条件に応じて予め設定された周波数（音色）と音圧を、音圧レベル可変設定手段を使用して、周波数をパラメータとしてユーザーが任意に可変することができるようになり、好みに応じた周波数（音色）と音圧での圧電ブザーの駆動が可能になる。
【００２５】
（４）　第４の課題解決手段
本願発明の第４の課題解決手段は、上記第３の課題解決手段の構成を前提とし、音圧レベル可変設定手段は、当該電気調理器の操作スイッチとは別の専用の音圧レベル可変設定操作スイッチとして構成されていることを特徴としている。
【００２６】
このような構成によれば、当該専用の音圧レベル可変設定操作スイッチにより、上記第３の課題解決手段の作用が実現される。
【００２７】
（５）　第５の課題解決手段
本願発明の第５の課題解決手段は、上記第３の課題解決手段の構成を前提とし、音圧レベル可変設定手段は、予め特定された当該電気調理器の複数の操作スイッチを使用し、それら複数の操作スイッチの同時操作により音圧レベルを可変できるように構成されていることを特徴としている。
【００２８】
このような構成によれば、当該予め特定された当該電気調理器の複数の操作スイッチの同時操作により、上記第３の課題解決手段と全く同様の周波数（音色）、音圧可変作用が実現される。
【００２９】
【発明の効果】
以上の結果、本願発明の電気調理器によると、次のような有益な効果を得ることができる。
【００３０】
（１）　周波数（音色）、音圧を広い幅で変えることが可能となる。
【００３１】
（２）　周波数（音色）、音圧をソフト的に変えることができるので、可変設定操作が簡単になる。
【００３２】
（３）　周波数設定用ソフトを入れ変えるだけでユーザーの好みに応じた、周波数（音色）、音圧の報知音を実現することも可能である。
【００３３】
（４）　ハード部の構成を変える必要がないので、回路構成がシンプルで、部品点数も少なく、回路基板を大きくする必要もない。したがって、製品コストも低コストである。
【００３４】
【発明の実施の形態】
図１および図２は、本願発明の実施の形態に係る電気調理器としてのマイコン式電気炊飯器の炊飯器本体部分の構成、図３は同電気炊飯器本体の全体的な制御回路の構成、図４および図５は同電気炊飯器のブザー駆動回路の構成、図６は同実施の形態において採用された圧電ブザー固有の周波数−音圧特性、図７は同実施の形態において採用された複数のブザー報知モードの各内容を、それぞれ示している。
【００３５】
（炊飯器本体部分の構成・・・図１、図２参照）
すなわち、先ず該電気炊飯器の炊飯器本体は、例えば図１に示すように、内部に誘起されるうず電流によって自己発熱が可能な例えばステンレス鋼板等の磁性金属板よりなる内鍋（飯器ないし保温容器）３と、該内鍋３を任意にセットし得るように形成された合成樹脂製の有底筒状の保護枠（内ケース）４と、該保護枠（内ケース）４を保持する外部筺体である有底筒状の外ケース１と、該外ケース１と上記保護枠（内ケース）４とを一体化して形成された炊飯器器体Ａの上部に開閉可能に設けられた蓋ユニット（蓋）２とから構成されている。
【００３６】
上記保護枠（内ケース）４の底壁部（底部）４ａの下方側にはコイル台７が設けられ、その上部には、フェライトコアを介し、上記内鍋３の底壁部（底部）３ａの中央部と側方部および内鍋３の側壁部３ｂの各位置に対応して各々リッツ線が同心状に巻成された３組のワークコイルＣ１，Ｃ２，Ｃ３が、それぞれ内鍋３の底壁部３ａから側壁部３ｂに到る略全体を包み込むように設けられており、それらにより通電時には内鍋３の略全体にうず電流を誘起して、その全体を略均一に加熱するようになっている。そして、該ワークコイルＣ１，Ｃ２，Ｃ３は、それぞれ相互に直列に接続されている。そして、その一端は、整流回路および平滑回路を介したワークコイル駆動回路の電源ラインに、また他端は同回路中のＩＧＢＴ（パワートランジスタ）にそれぞれ接続されている。
【００３７】
また、上記側壁部側ワークコイルＣ３の上方部には、保温時において加熱手段として機能する保温ヒータＨ１が設けられており、保温時において上記内鍋３の全体を有効かつ均一に加熱するようになっている。
【００３８】
また、上記保護枠（内ケース）４およびコイル台７の前方部側には、上記ワークコイルＣ１，Ｃ２，Ｃ３、保温ヒータＨ１、肩ヒータＨ２等を駆動制御する上記ＩＧＢＴやヒータ駆動回路、マイコン制御ユニット、電源電圧整流用のダイオードブリッジよりなる整流回路、平滑回路などを備えた制御基板６Ａおよび制御基板収納ボックス５Ａが上下立設状態で設けられている。
【００３９】
また上記外ケース１は、例えば合成樹脂材で形成された上下方向に筒状のカバー部材１ａと、該カバー部材１ａの上端部に結合された合成樹脂製の肩部材１１と、上記カバー部材１ａの下端部に一体化された合成樹脂製の底部材１ｂとからなり、かつ上記保護枠（内ケース）４の底壁部４ａとの間に所定の広さの断熱および通風空間部を形成した全体として有底の筒状体に構成されている。そして、該外ケース１の前面部上方には、例えば図２に示すような略半月形状の操作パネル部２０が設けられている。該操作パネル部２０面には、十分に広く大きな表示面積をもつ液晶表示部２１と、炊飯スイッチ２２ａ、タイマー予約スイッチ２２ｂ、取消スイッチ２２ｃ、保温スイッチ２２ｄ、再加熱スイッチ２２ｅ、メニュー選択スイッチ２２ｆ、時スイッチ２２ｇ、分スイッチ２２ｈ等の各種入力スイッチ（タッチキーのタッチ部）が設けられている。これらスイッチ２２ａ〜２２ｈの内の所定のスイッチ（複数）は、必要に応じて後述するブザー報知回路における圧電ブザーの音圧設定レベル可変手段としても兼用されるようになっている。また、上記肩部材１１の肩部内周側には、肩ヒータＨ２が設けられている。
【００４０】
さらに、上記外ケース１内の上記操作パネル部２０の内側部分（裏側空間）には、上記制御基板６Ａの上端側位置から斜め前方に下降する格好で、例えばマイコン基板６Ｂが傾斜設置されている。このマイコン基板６Ｂは、上記液晶ディスプレイ３１、液晶ディスプレイ支持部材３０、炊飯スイッチ２２ａ、タイマー予約スイッチ２２ｂ、取消スイッチ２２ｃ、保温スイッチ２２ｄ、再加熱スイッチ２２ｅ、メニュー選択スイッチ２２ｆ、時スイッチ２２ｇ、分スイッチ２２ｈ等の各種入力スイッチ（タッチキーの動作機構部）が設けられた操作基板部と、その下方側にあって、円形をなすマイコンのバックアップ用電源電池の設置部（ランド部）を有するマイコン用電源基板部とからなっている。
【００４１】
また、図示はしないが、上記保護枠（内ケース）４下方側のコイル台７の中央部には、上下方向に同心状に貫通したセンタセンサ収納空間部が形成されており、該センタセンサ収納空間部中に上下方向に昇降自在な状態で、かつ常時コイルスプリングにより上方に上昇付勢された状態で内鍋温度検知センサおよび内鍋検知スイッチを備えたセンタセンサが設けられている。
【００４２】
さらに、符号１７ａは、上記炊飯器本体前面側下部内に設けられ、各種入力スイッチ２２ａ〜２２ｈ操作時の作動確認音、炊飯完了（炊き上り完了）を知らせるブザー報知音、内鍋温度の上昇等何らかの異常の発生を知らせる異常報知音等を所望の音圧で発生する周波数−音圧特性のある圧電ブザーであり、該圧電ブザー１７ａは後述するようなブザー駆動回路１７によって駆動されるようになっている。
【００４３】
一方、符号２は蓋ユニットであり、該蓋ユニット２は、その外周面を構成する合成樹脂製の外カバー１２と、該外カバー１２と内枠１４との間に設けられた金属製の断熱構造体１３と、該断熱構造体１３の内側にパッキン１９を介して設けられた金属製の内カバー１５と、該内カバー１５の下方に設けられた金属製の放熱板１６とによって内側が中空の断熱構造体に形成されている。また、上記断熱構造体１３は上下２枚の金属板１３ａ，１３ｂを閉断面構造に対向させて一体化することにより形成されている。
【００４４】
この蓋ユニット２は、上記外ケース１上部の肩部材１１に対してヒンジ機構を介して回動自在に取付けられており、その開放端側には、該蓋ユニット２の所定位置に係合して該蓋ユニット２の上下方向への開閉を行うロック機構１８が設けられている。
【００４５】
したがって、該構成では、先ず炊飯時には、上記内鍋３は、上記３組のワークコイルＣ１，Ｃ２，Ｃ３の駆動によりその底壁部３ａから側壁部３ｂ側にかけて略全体が均一に発熱し、例えば内鍋３内の水に浸された飯米が断熱部として作用する吸水工程などにおいても内鍋３の上部側をもムラなく加熱して略全体に均一な吸水性能を可能にするとともに、炊飯量が多い時などにも内鍋３の全体を略均一に加熱して加熱ムラなく効率良く炊き上げることができる。また、沸騰工程以降の水分がなくなった状態における内鍋３の底壁部３ａの局部的な熱の集中を防止して焦げ付きの発生を防止することができる。次に、保温時には、上記内鍋３の側壁部３ｂに対応して設けられた上記保温ヒータＨ１および肩ヒータＨ２の駆動により、内鍋３の底壁部３ａから側壁部３ｂおよび上方部の全体が適切な加熱量で均一に加熱されて加熱ムラのない保温が実現される。
【００４６】
一方、上記制御基板６Ａ上のマイコン制御ユニット３２には、上記各入力スイッチ２２ａ〜２２ｈを介して入力されたユーザーの指示内容を判断する所望の認識手段が設けられており、該認識手段で認識されたユーザーの指示内容に応じて所望の炊飯又は蒸し、保温機能、所望の炊飯又は蒸し、保温メニュー、それら炊飯又は蒸し、保温メニューに対応した所定の加熱出力、加熱パターンを設定して、その炊飯加熱制御手段又は保温加熱制御手段としてのマイコン制御ユニット４２を適切に作動させて所望の炊飯又は蒸し、保温を行うようになっている。
【００４７】
したがって、ユーザーは、上記各入力スイッチ２２ａ〜２２ｈを使って炊飯又は蒸し、保温、タイマー予約、予約時刻設定、白米、早炊、玄米、おかゆ、炊き込み、おこわ、無洗米、雑炊、ピラフ、等各種メニューの炊き分け、通常保温又は低温保温、蒸し保温その他の各種の炊飯又は蒸し、保温機能の選択設定内容を入力すれば、それに対応した機能内容が当該マイコン制御ユニット３２内の上記認識手段を介して炊飯および保温加熱パターン等設定部に自動的に設定入力され、対応する炊飯又は保温加熱制御が所望の制御パターンで適切になされるようになる。
【００４８】
また、同マイコン制御ユニット３２は、後述するように、上記ブザー駆動回路１７のブザー駆動状態をコントロールするブザーコントロール部３２ａと上記圧電ブザー１７ａの周波数−音圧特性の範囲内で複数のキャリア周波数を設定する周波数設定部３２ｂとを備えており（図４，図５参照）、上記ブザーコントロール部３２ａは、上記各スイッチ２２ａ〜２２ｈの操作状態や内鍋（調理加熱部）３の温度等、その入力部への入力条件の相違に応じて、上記周波数設定部３２ｂに設定されている複数種のキャリア周波数Ａ〜Ｆの内の所定のキャリア周波数を選択して、上記ブザー駆動回路１７を作動させることにより、同周波数と同周波数によって決定される所望の音圧で圧電ブザーを駆動するようになっている。
【００４９】
（炊飯器本体側制御回路部分の構成・・・図３参照）
次に、図３は上述のように構成された炊飯器本体側のマイコン制御ユニット３２を中心とする制御回路部分の構成を示す。
【００５０】
図中、符号３２がマイコン制御ユニット（ＣＰＵ）であり、該マイコン制御ユニット３２はマイクロコンピュータを中心として構成され、例えば内鍋３の温度検知回路部、ワークコイル駆動制御回路部、内鍋３の検知回路部、発振回路部、リセット回路部、保温ヒータおよび肩ヒータ等駆動制御回路部、残時間設定表示制御回路部、ブザーコントロール部、ブザー駆動用キャリア周波数設定部、ブザー駆動回路部、電源回路部、バックアップ電源回路部、システム・時計等クロック発生回路部等を各々有して構成されている。
【００５１】
そして、先ず上記内鍋３の底壁部３ａ側センタセンサ部の内鍋温度検知センサＳ、内鍋検知スイッチＬＳに対応して設けられた温度検知回路４３および鍋検知回路４４には、例えば上記内鍋温度検知センサＳによる内鍋３の底壁部３ａの温度検知信号、内鍋検知スイッチＬＳによる鍋検知信号がそれぞれ入力されるようになっている。
【００５２】
また、上記ワークコイル駆動制御回路部は、例えばパルス幅変調回路４１、同期トリガー回路４０、ＩＧＢＴ駆動回路４２、ＩＧＢＴ３７、共振コンデンサ３８によって形成されている。そして、上記マイコン制御ユニット３２のワークコイル駆動制御回路部により、上記パルス幅変調回路４１を制御することにより、例えば炊飯工程に応じて上記ワークコイルＣ１，Ｃ２，Ｃ３の出力値および同出力値でのＯＮデューティー比（例えばｎ秒／１６秒）をそれぞれ適切に変えることによって、炊飯又は蒸し加熱工程の各工程における内鍋３の加熱温度と加熱パターンを炊飯量を考慮して適切に可変コントロールし、均一な吸水作用と加熱ムラのない御飯の炊き上げ又は蒸し加熱調理を実現するための適切な出力制御が行われるようになっている。
【００５３】
また同マイコン制御ユニット３２の保温ヒータ駆動制御回路部および肩ヒータ駆動制御回路部により、それぞれ保温ヒータ駆動回路３３および肩ヒータ駆動回路３４を作動させて、第１，第２のトランジスタ２４ａ，３３ａ、第１，第２のフォトトライアックＰＴ１，ＰＴ２をＯＮ，ＯＦＦ制御することにより、例えば保温又は炊飯、蒸し加熱工程に応じて上記保温ヒータＨ１、肩ヒータＨ２の出力値、および同出力値でのＯＮデューティー比（例えばｎ秒／１６秒）をそれぞれ適切に変えることによって、保温又は炊飯、蒸し加熱工程の各工程における内鍋３の加熱温度と加熱パターンとを実際の炊飯量を考慮して適切に可変コントロールするための適切な出力制御が行われるようになっている。
【００５４】
また、符号２２ａ〜２２ｈは上述したように電力設定にも兼用される各種入力スイッチ部であり、同スイッチの必要なものが適切に操作されると、上記マイコン制御ユニット３２側の認識手段によってユーザーの指示内容が認識され、その認識内容に応じて所望の炊飯又は保温加熱パターンを設定して上記炊飯加熱制御手段又は蒸し保温加熱制御手段を適切に作動させて所望の炊飯又は保温を行うようになっている。
【００５５】
したがって、ユーザーは、同入力スイッチ２２ａ〜２２ｈを使用して炊飯又は保温、タイマー予約、予約時刻設定、白米又は玄米、早炊、おかゆ、かため又はやわらかめ、すしめし、炊き込み等の炊き分け、蒸し、通常保温又は低温保温等の各種の炊飯又は蒸し、保温機能の選択設定内容を入力すれば、それに対応した機能内容が当該マイコン制御ユニット３２の上述した認識手段を介して炊飯又は蒸し、保温加熱パターン設定部に自動的に設定入力され、対応する炊飯又は蒸し、保温加熱制御が適切になされる。
【００５６】
さらに、符号１７ａは、上記各種入力スイッチ２２ａ〜２２ｈ操作時の作動確認音、炊飯完了（炊き上り完了）を知らせるブザー報知音、内鍋温度の上昇等何らかの異常の発生を知らせる異常報知音等を所望の音圧で発生する図６のような周波数−音圧数特性のある圧電ブザー、１７は同圧電ブザー１７ａを駆動するブザー駆動回路、２１は液晶表示部である。
【００５７】
そして、上記液晶表示部２１には、上記入力スイッチ２２ａ〜２２ｈのＯＮ操作に対応して所望のメニューや時刻等の必要事項が表示され、以後設定内容に応じた必要な表示がなされて行くようになっている。また、上記マイコン制御ユニット３２のブザーコントロール部３２ａ部分には、例えば上記圧電ブザー１７ａの周波数−音圧特性の範囲内で、高〜低複数段階の周波数を設定する周波数設定部３２ｂが設けられ、図６の周波数−音圧特性から明らかなように、周波数ｆ（Ｈｚ）をパラメータとして圧電ブザー１７ａが発生する音圧Ｐ（ｄＢ）を変えることができるようになっている。
【００５８】
（ブザー報知回路の構成）
ところで、上記本実施の形態におけるブザー報知回路は、さらに具体的には、例えば図４および図５のように構成されている。
【００５９】
すなわち、同ブザー報知回路は、図４に示されるように、上述したマイコン制御ユニット３２のブザーコントロール部３２ａおよび周波数設定部３２ｂを中心とし、ブザーコントロール部３２ａの入力ゲートに対して上述した各種操作スイッチ２２ａ〜２２ｈの操作信号（ＯＮ，ＯＦＦ信号出力）を入力するスイッチ入力部２２ａ〜２２ｈからの出力信号、温度検知回路４３からの出力信号、鍋検知回路４４からの出力信号をそれぞれ入力可能に接続するとともに、それに対応した周波数設定部３２ｂからの所定周波数（キャリア周波数）の出力を上述したブザー駆動回路１７に入力して、同ブザー駆動回路１７を作動させ、上記圧電ブザー１７ａを、例えば図７に示すように、報知すべき情報の種類と内容、緊急度等に応じた適切な周波数（音色）と音圧で駆動するようになっている。
【００６０】
ブザーコントロール部３２ａと周波数設定部３２ｂは、マイコン制御ユニット３２内でプログラム的に接続されており、ブザーコントロール部３２ａは、上述したスイッチ入力部２２ａ〜２２ｈを介して入力される操作されたスイッチの種類や操作状態を示す信号、温度検知回路４３を介して入力された異常温度を示す信号、鍋検知回路４４を介して入力された内鍋がセットされていないことを示す信号等のそれぞれに対応して、最適な「周波数−音圧特性」を周波数設定部に設定されている周波数をパラメータとして選択し、同選択された周波数−音圧で、ブザー駆動回路１７により圧電ブザー１７ａを駆動するようになっている。
【００６１】
ブザー駆動回路１７は、例えば図５に示すように圧電ブザー駆動トランジスタＴＲを中心として構成されているとともに、周波数設定部３２ｂは、同じく図５に示されるように、例えば図６に示す当該圧電ブザー１７ａの周波数−音圧特性を前提として設定された、図７に示すような炊飯器本体側の操作状態、状況に応じたＡ〜Ｆ５種類の報知モード（周波数−音圧特性）設定機能を有して構成されている。
【００６２】
今、例えば図７に示すＡ〜Ｆの６種の報知モードは、具体的には次のようになっていて、次のようにして選択される。
【００６３】
Ａモード：内鍋３が保護枠４内に入っていない時（図６のＦ２−Ｐ２特性を選択）
この状態は、上記図４中の鍋検知回路４４からの入力信号によって判定される。
【００６４】
そして、内鍋なしと判定されると、上記ブザーコントロール部３２ａは、上記周波数設定部３２ｂのＡモード、すなわち周波数（Ｈｚ）、音圧（ｄＢ）共に第２番目に高い図６のＦ２−Ｐ２特性を選んで、ブザー駆動回路１７を作動させる。
【００６５】
その結果、圧電ブザー１７ａは、周波数ｆ（Ｈｚ）が高く、音圧Ｐ（ｄＢ）も高い注意喚起度の高いアラーム音を発生させる。
【００６６】
Ｂモード：内鍋温度の異常上昇時等の異常発生時（図６のＦ１−Ｐ１特性を選択）
この状態は、上記図４中の温度検知回路４３からの入力信号によって判定される。
【００６７】
そして、内鍋３の温度が所定基準温度以上に高いと判定されると、上記ブザーコントロール部３２ａは、上記周波数設定部３２ｂのＢモード、すなわち周波数（Ｈｚ）、音圧（ｄＢ）共に最も高い（第１番目に高い）図６のＦ１−Ｐ１特性を選んで、ブザー駆動回路１７を作動させる。
【００６８】
その結果、圧電ブザー１７ａは、周波数ｆ（Ｈｚ）が高く、音圧Ｐ（ｄＢ）も高い極めて注意喚起度の高いアラーム音を発生させる。
【００６９】
Ｃモード：各種操作スイッチの操作時（図６のＦ６−Ｐ６特性を選択）
この状態は、上記スイッチ入力部２２ａ〜２２ｈからの入力信号によって判定される。
【００７０】
そして、何れかの操作スイッチが操作されたことが判定されると、上記ブザーコントロール部３２ａは、上記周波数設定部３２ｂのＣモード、すなわち周波数（Ｈｚ）、音圧（ｄＢ）共に最も低い図６のＦ６−Ｐ６特性を選んで、ブザー駆動回路１７を作動させる。
【００７１】
その結果、圧電ブザー１７ａは、周波数ｆ（Ｈｚ）が低く、音圧Ｐ（ｄＢ）も低くて、周囲に対する騒音にはならず、操作者本人には十分に分る有効な操作確認音を発生させる。
【００７２】
Ｄモード：ごはんの炊き上り（図６のＦ３−Ｐ３特性を選択）
この状態は、上記図４中の温度検知回路４４からの入力信号によって判定される。
【００７３】
そして、炊き上りと判定されると、上記ブザーコントロール部３２ａは、上記周波数設定部３２ｂのＤモード、すなわち周波数（Ｈｚ）、音圧（ｄＢ）共に第３番目に高い図６のＦ３−Ｐ３特性を選んで、ブザー駆動回路１７を作動させる。
【００７４】
その結果、圧電ブザー１７ａは、周波数ｆ（Ｈｚ）が略中レベルで、音圧Ｐ（ｄＢ）も略中レベルの聞き取り易いアラーム音を発生させる。
【００７５】
Ｅモード：炊飯設定操作等の誤操作報知時（図６のＦ４−Ｐ４特性を選択）
この状態は、上記図４中のスイッチ入力部２２ａ〜２２ｈからの入力信号によって判定される。
【００７６】
そして、各種設定手順から見て誤ったスイッチが押されたと判定されると、上記ブザーコントロール部３２ａは、上記周波数設定部３２ｂのＥモード、すなわち周波数（Ｈｚ）、音圧（ｄＢ）共に低いが、上記通常の操作時の操作確認音よりは共に２ランク高い図６のＦ４−Ｐ４特性を選んで、ブザー駆動回路１７を作動させる。
【００７７】
その結果、圧電ブザー１７ａは、周波数ｆ（Ｈｚ）、音圧Ｐ（ｄＢ）共に略中レベルではあるが、上記通常の操確認作音に比べて注意喚起度の高い誤操作に気付かせるためのアラーム音を発生させる。
【００７８】
Ｆモード：炊飯設定操作等の操作完了時（図６のＦ５−Ｐ５特性を選択）
この状態は、上記スイッチ入力部２２ａ〜２２ｈからの入力信号の組み合せによって判定される。
【００７９】
そして、必要な全てのスイッチが適正な順番で操作されたことが判定されると、上記ブザーコントロール部３２ａは、上記周波数設定部３２ｂのＦモード、すなわち周波数（Ｈｚ）、音圧（ｄＢ）共に第２番目に低い図６のＦ５−Ｐ５特性を選んで、ブザー駆動回路１７を作動させる。
【００８０】
その結果、圧電ブザー１７ａは、周波数ｆ（Ｈｚ）が低く、音圧Ｐ（ｄＢ）も低いが通常の操作確認音よりは共に１ランク高い設定操作完了報知音を発生させる。
【００８１】
以上の構成では、例えば上記スイッチ入力部２２ａ〜２２ｈに、温度検知回路４３、鍋検知回路４４その他からの上記ブザーコントロール部３２ａへの入力条件により、図７のＡ〜Ｆのように、報知すべき情報の性質、役割、緊急度などに応じて、適切な周波数−音圧特性で、効果的な音を発生させることができるようになる。
【００８２】
したがって、上記周波数設定部３２ｂの報知モードＡ〜Ｆに、採用した圧電ブザー１７ａの周波数−音圧特性の範囲内で複数種のキャリア周波数ｆ１〜ｆ６の対応するものをソフト的に設定しておきさえすれば、ブザーコントロール部３２ａは、その時のスイッチ操作状態や内鍋３の温度等、入力される条件の相違に応じて、上記周波数設定部３２ｂに設定されている報知モードＡ〜Ｆに対応する複数種のキャリア周波数ｆ１〜ｆ６の内の所定のキャリア周波数を選択して、上記ブザー駆動回路１７を作動させることになり、同周波数（音色）と同周波数によって決定される所望の音圧で当該圧電ブザーが駆動される。
【００８３】
したがって、従来のようにブザー駆動回路１７側のハード構成を変更する必要はなく、回路構成は簡単で、部品点数を増加させることもなく、もちろん回路基板を大きくする必要もない。
【００８４】
そのため、必然的に製品コストも安くなる。
【００８５】
ところで、この実施の形態の場合、上記報知モードＡ〜Ｆに対応して周波数設定部３２ｂに設定されているキャリア周波数とスイッチ操作等各種入力条件との関係は、予め固定的に設定されていて、ユーザーによる任意の変更は行えないようになっている。
【００８６】
このような構成によれば、周波数設定部３２ｂに一般的に最適と思われるスイッチ操作その他の報知すべき情報に応じた報知モード毎に効果的なキャリア周波数を予め設定しておくことにより、以後は、当該入力条件毎に設定された周波数と音圧で対応する圧電ブザーが駆動される。
【００８７】
（変形例）
以上の実施の形態の構成では、例えば上記周波数設定部３２ｂの６種の周波数−音圧特性Ａ〜Ｆを予めメーカ側で固定的に設定されているものとして説明した。
【００８８】
しかし、これは例えば所定の音圧レベル設定専用キーを設けるか、または上記既存の操作スイッチ２２ａ〜２２ｈの何れか２組（又はそれ以上）の操作スイッチを音圧レベル設定キーとして特定し、それらの同時押しによって音圧レベルを各々所望のレベルに可変設定できるようにしても良い。
【００８９】
なお、この場合、上記複数の操作スイッチの選択は、製品の初期モードでは入力されない操作スイッチを選択することが好ましい。
【００９０】
このような構成によれば、入力条件に応じて予め設定された周波数（音色）と音圧を、音圧レベル可変設定手段を使用して、ユーザーが任意に可変することができるようになり、ユーザーの好みに応じた周波数と音圧での圧電ブザーの駆動が可能になる。
【００９１】
以上の結果、上述のような構成の電気調理器によると、次のような有益な効果を得ることができる。
【００９２】
（１）　周波数、音圧を広い幅で変えることが可能となる。
【００９３】
（２）　周波数、音圧をソフト的に変えることができるので、可変設定操作が簡単になる。
【００９４】
（３）　周波数設定用ソフトを入れ変えるだけでユーザーの好みに応じた、周波数、音圧の報知音を実現することも可能である。
【００９５】
（４）　ハード部の構成を変える必要がないので、回路構成がシンプルで、部品点数も少なく、回路基板を大きくする必要もない。したがって、製品コストも低コストである。
【図面の簡単な説明】
【図１】本願発明の実施の形態に係る電気調理器の一例である電気炊飯器本体の全体的な構成を示す一部切欠側面図である。
【図２】同電気炊飯器本体の要部である操作パネル部分の拡大正面図である。
【図３】同電気炊飯器本体内のマイコン制御ユニットを中心とする全体的な制御回路部分のブロック図である。
【図４】同電気炊飯器本体内のマイコン制御ユニット（ブザーコントロール部）を利用した圧電ブザーの周波数−音圧特性可変回路の構成を示すブロック図である。
【図５】図４の同周波数−音圧特性可変回路を別の形で示した電気的な結線図である。
【図６】上記電気炊飯器のブザー報知回路で使用される圧電ブザーの周波数−音圧特性を示す図である。
【図７】上記図４、図５の周波数−音圧特性可変回路を使用してなされるブザー報知モードの例を示す図である。
【図８】従来の電気調理器のブザー報知回路の第１例を示す図である。
【図９】従来の電気調理器のブザー報知回路の第２例を示す図である。
【符号の説明】
１は外ケース、２は蓋ユニット、３は内鍋、４は内ケース、６Ａは制御基板、６Ｂはマイコン基板、１７ａは圧電ブザー、１７ｂはブザー駆動回路、２１は液晶表示部、２２ａは炊飯スイッチ、２２ｂは予約スイッチ、２２ｃは取消スイッチ、２２ｄは保温スイッチ、２２ｅは再加熱スイッチ、２２ｆはメニュースイッチ、２２ｇは時スイッチ、２２ｈは分スイッチ、３１は液晶ディスプレイ、３２はマイコン制御ユニット、３２ａはブザーコントロール部、３２ｂは周波数設定部、４３は温度検知回路、４４は鍋検知回路である。
【図１】
2004089287.tif 000003
【図２】
2004089287.tif 000004
【図３】
2004089287.tif 000005
【図４】
2004089287.tif 000006
【図５】
2004089287.tif 000007
【図６】
2004089287.tif 000008
【図７】
2004089287.tif 000009
【図８】
2004089287.tif 000010
【図９】
2004089287.tif 000011